(57)【要約】【課題】水処理施設において１０ｍを超える開口スパンの水槽を覆うことができ、設置現場に搬送しやすく、設置現場での組立が容易な覆蓋部材を提供する。【解決手段】下水処理施設１に設置された沈殿池２の上部に上面視形状が略長方形状を呈した開口部２ａが設けられ、開口部２ａの周縁を構成する構成壁の側縁部２ｂ，２ｂに開口部２ａを跨いで複数隣接して架け渡すことによって開口部２ａの上部を覆う覆蓋部材３であって、  板材によって構成され平面視形状が略長方形状を呈した長尺の２つの覆蓋パネル６と、２つの覆蓋パネル６，６の長手方向一端縁同士を斜めに連結する連結部材７とを有し、２つの覆蓋パネル６，６が連結部材７によって連結されている。【選択図】図５
2008024340.tif 000002
【特許請求の範囲】
【請求項１】
水処理施設に設置された水槽の上部に上面視形状が略長方形状を呈した開口部が設けられ、該開口部の周縁を構成する構成壁の上縁部に前記開口部を跨いで複数隣接して架け渡すことによって前記開口部の上部を覆う覆蓋部材であって、
板材によって構成され平面視形状が略長方形状を呈した長尺の２つのパネル部材と、該２つのパネル部材の長手方向一端縁同士を斜めに連結する連結部材とを有し、
前記２つのパネル部材が前記連結部材によって連結されていることを特徴とする覆蓋部材。
【請求項２】
略長方形状の天板と、該天板の幅手方向両端付近に垂直に接合された略長方形状の側板と、該各側板の間にハシゴ状に介装された複数の梁板とから成る板材によって前記パネル部材が構成されていることを特徴とする請求項１に記載された覆蓋部材。
【請求項３】
前記板材がガラス長繊維により強化された発泡ウレタン樹脂によって形成されていることを特徴とする請求項２に記載された覆蓋部材。
【請求項４】
前記上縁部への架け渡し方向の長さが１０ｍ以上の長さを有していることを特徴とする請求項３に記載された覆蓋部材。
【請求項５】
前記上縁部に固定する固定手段を有していることを特徴とする請求項１乃至請求項４に記載された覆蓋部材。
【請求項６】
前記開口部に沿って移動可能とする可動手段を有していることを特徴とする請求項１乃至請求項５に記載された覆蓋部材。
【請求項７】
長手方向両端部間に張力を加えて撓み量を変えることにより前記上縁部への架け渡し方向の長さを調整する張架手段を有することを特徴とする請求項１乃至請求項６に記載された覆蓋部材。
【請求項８】
幅手方向両側部にパッキング材が貼設されていることを特徴とする請求項１乃至請求項７に記載された覆蓋部材。
【請求項９】
前記少なくとも一方のパネル部材の長手方向端部付近に前記水槽内を点検するための点検口が設けられていることを特徴とする請求項１乃至請求項８に記載された覆蓋部材。
【請求項１０】
請求項１乃至請求項９に記載された覆蓋部材の設置方法であって、
工場で製造された前記パネル部材を前記水処理施設に搬送し、該水処理施設において前記連結部材によって連結し、前記水槽に設置することを特徴とする覆蓋部材の設置方法。
【請求項１１】
請求項１乃至請求項９に記載された覆蓋部材の設置方法であって、
前記上縁部に長手方向横断面形状がＬ字型を呈したＬ字型金物によって、前記覆蓋部材を嵌合させる枠体を形成し、該枠体間に前記覆蓋部材を並設して設置することを特徴とする覆蓋部材の設置方法。
【発明の詳細な説明】
【技術分野】
【０００１】
本発明は、水処理施設に設置された水槽の上部開口部を覆う覆蓋部材に関する。
【背景技術】
【０００２】
例えば、下水処理施設には、沈砂槽、沈殿槽、生物反応槽などの水槽が配置されている。
【０００３】
これらの水槽の上部開口部は、安全上、衛生上、或いは、環境上などの観点から覆蓋部材によって覆われている。
【０００４】
水槽の上部には上面視形状が略長方形状を呈した開口部が設けられており、開口部の周縁を構成する構成壁の上縁部に、開口部を跨いで複数の覆蓋部材を隣接させて架け渡すことによって開口部の上部を覆っている。
【０００５】
従来から、覆蓋部材として、例えば、コンクリート製ものや、アルミニューム製、ＦＲＰ製（Ｆｉｂｅｒ  Ｒｅｉｎｆｏｒｃｅｄ  Ｐｌａｓｔｉｃｓ製：繊維強化プラスチック製）のものなどが知られている。
【０００６】
これらのうちで、架け渡し方向のスパンが長い覆蓋部材としては、ＦＲＰ製でドーム型の覆蓋部材があり、スパンが長いもので８ｍ程度のものが知られている。
【０００７】
この他、特許文献１にハニカム構造を有した樹脂製の覆蓋部材が開示されている。
【特許文献１】特開２００４−１９６３３９号公報
【発明の開示】
【発明が解決しようとする課題】
【０００８】
ところで、近年、浄水場や下水処理場において、設備の大型化に伴い１０ｍを超える開口スパンの水槽に蓋をする必要が生じている。
【０００９】
従来のＦＲＰ製の平板型の覆蓋部材では撓みが生じるため、１０ｍを超えるスパンの覆蓋部材を製造するのは困難であった。
【００１０】
そこで、ドーム構造やハニカム構造を用いて１０ｍを超えるスパンの覆蓋を形成すると、その大きさ故、設置現場への搬送が困難になるという問題があった。
【００１１】
また、多数のパネルに分割して、設置現場で組み立てるものも知られているが、組み立て工数が多くなり、設置が困難になってしまうという問題があった。
【００１２】
そこで、本発明では、水処理施設において１０ｍを超える開口スパンの水槽を覆うことができ、設置現場に搬送しやすく、設置現場での組立が容易な覆蓋部材を提供することを目的にしている。
【課題を解決するための手段】
【００１３】
上記目的を達成するために請求項１に記載された発明は、水処理施設に設置された水槽の上部に上面視形状が略長方形状を呈した開口部が設けられ、該開口部の周縁を構成する構成壁の上縁部に前記開口部を跨いで複数隣接して架け渡すことによって前記開口部の上部を覆う覆蓋部材であって、
板材によって構成され平面視形状が略長方形状を呈した長尺の２つのパネル部材と、該２つのパネル部材の長手方向一端縁同士を斜めに連結する連結部材とを有し、
前記２つのパネル部材が前記連結部材によって連結されている覆蓋部材を特徴としている。
【００１４】
そして、請求項２に記載された発明は、略長方形状の天板と、該天板の幅手方向両端付近に垂直に接合された略長方形状の側板と、該各側板の間にハシゴ状に介装された複数の梁板とから成る板材によって前記パネル部材が構成されている請求項１に記載された覆蓋部材を特徴としている。
【００１５】
また、請求項３に記載された発明は、前記板材がガラス長繊維により強化された発泡ウレタン樹脂によって形成されている請求項２に記載された覆蓋部材を特徴としている。
【００１６】
更に、請求項４に記載された発明は、前記上縁部への架け渡し方向の長さが１０ｍ以上の長さを有している請求項３に記載された覆蓋部材を特徴としている。
【００１７】
そして、請求項５に記載された発明は、前記上縁部に固定する固定手段を有している請求項１乃至請求項４に記載された覆蓋部材を特徴としている。
【００１８】
また、請求項６に記載された発明は、前記開口部に沿って移動可能とする可動手段を有している請求項１乃至請求項５に記載された覆蓋部材を特徴としている。
【００１９】
更に、請求項７に記載された発明は、長手方向両端部間に張力を加えて撓み量を変えることにより前記上縁部への架け渡し方向の長さを調整する張架手段を有する請求項１乃至請求項６に記載された覆蓋部材を特徴としている。
【００２０】
そして、請求項８に記載された発明は、幅手方向両側部にパッキング材が貼設されている請求項１乃至請求項７に記載された覆蓋部材を特徴としている。
【００２１】
また、請求項９に記載された発明は、前記少なくとも一方のパネル部材の長手方向端部付近に前記水槽内を点検するための点検口が設けられていることを特徴とする請求項１乃至請求項８に記載された覆蓋部材を特徴としている。
【００２２】
更に、請求項１０に記載された発明は、請求項１乃至請求項９に記載された覆蓋部材の設置方法であって、
工場で製造された前記パネル部材を前記水処理施設に搬送し、該水処理施設において前記連結部材によって連結し、前記水槽に設置する覆蓋部材の設置方法を特徴としている。
【００２３】
そして、請求項１１に記載された発明は、請求項１乃至請求項９に記載された覆蓋部材の設置方法であって、
前記上縁部に長手方向横断面形状がＬ字型を呈したＬ字型金物によって、前記覆蓋部材を嵌合させる枠体を形成し、該枠体間に前記覆蓋部材を並設して設置する覆蓋部材の設置方法を特徴としている。
【発明の効果】
【００２４】
このように構成された本発明の請求項１に記載されたものは、開口部の全体を複数の覆蓋部材で覆った際には、全体として屋根型を呈しているので、雨が降った際に水はけがよい。
【００２５】
そして、請求項２に記載されたものは、梁板がハシゴ状に設けられているので十分な強度が得られる。
【００２６】
また、請求項３に記載されたものは、パネル部材がガラス長繊維により強化された発泡ウレタン樹脂によって形成されているので、耐腐食性があり、腐食性のガスに曝されても長期に渡り使用可能である。
【００２７】
更に、請求項４に記載されたものは、パネル部材がハシゴ状に介装された梁板などの補強構造を有しているので、ガラス長繊維により強化された発泡ウレタン樹脂の樹脂板単体に比べて強度が強く、１０ｍ以上の長さの覆蓋部材が製造可能である。
【００２８】
そして、請求項５に記載されたものは、覆蓋部材が固定手段によって水槽の側縁部に固定されるので覆蓋部材を安定して設置することができる。 特に強風地域では、全ての覆蓋部材を固定手段によって固定すれば、覆蓋部材が風によって飛ばされることがない。
【００２９】
また、請求項６に記載されたものは、覆蓋部材が可動手段を有しているので、覆蓋部材を開口部の両側縁に架け渡した後に側縁に沿って移動させて、既に設置されている覆蓋部材に隣接させることができるので、設置施工をスムーズに行うことができる。
【００３０】
更に、請求項７に記載されたものは、覆蓋部材が張架手段を有しているので、設置の際の撓みによる長さ変化を吸収して覆蓋部材の架け渡し方向の長さが調整でき、覆蓋部材の端部位置を調整できるため設置施工が行い易い。
【００３１】
そして、請求項８に記載されたものは、覆蓋部材の両側部にパッキング材が貼設されているので、隣接する覆蓋部材同士で、これらのパッキング材が密着して隙間を塞ぎ、水槽からの臭気の漏れなどを軽減できる。
【００３２】
また、請求項９に記載されたものは、覆蓋部材に点検口が取り付けられているので、点検口から水槽内部を覗いて容易に点検できる。
【００３３】
更に、請求項１０に記載されたものは、パネル部材が予め工場において製造され、設置現場では連結部材によってパネル部材を連結するだけでよいので、設置現場において覆蓋部材の組み立てが容易に行える。
【００３４】
また、覆蓋部材自体は１０ｍ以上の長さを有しているが、組み立てる前のパネル部材は、約半分の長さになるので、工場から設置現場への搬送が容易に行える。
【００３５】
そして、請求項１１に記載されたものは、Ｌ字型金物によって枠体が形成されるので、支持部の施工が容易であるだけでなく、既設の水処理設備であっても、大規模な工事をすることなく覆蓋部材の設置が可能である。
【発明を実施するための最良の形態】
【００３６】
以下、本発明に係る実施の形態の実施例に基づいて本発明を説明する。
【実施例１】
【００３７】
〈構成〉
図１において、１は下水処理施設、２は沈殿池、３は覆蓋部材である。
【００３８】
沈殿池２は上面視形状が長方形状の開口部２ａを有しており、開口部２ａの周壁及び周囲の床はコンクリートによって形成されている。
【００３９】
覆蓋部材３は、開口部２ａの周縁のうち沈殿池２の幅手方向両側の側縁部２ｂ，２ｂ間に複数架け渡されている。
【００４０】
本実施例の沈殿池２の開口部２ａは、幅が１３．５ｍあり、１０ｍ以上のスパンを有している。
【００４１】
個々の覆蓋部材３は沈殿池２の幅手方向に長く、開口部２ａを複数の覆蓋部材３で覆った際には、全体として屋根型を呈している。
【００４２】
図２に示すように、開口部２ａを覆っている覆蓋部材３には、端末用覆蓋部材３ａと、中間用覆蓋部材３ｂと、点検口付覆蓋部材３ｃとの３つのタイプが用いられている。
【００４３】
端末用覆蓋部材３ａは沈殿池２の長手方向両端位置で用いられ、中間用覆蓋部材３ｂと点検口付覆蓋部材３ｃとは沈殿池２の長手方向両端位置以外で用いられる。
【００４４】
〈端末用覆蓋部材３ａの構成〉
端末用覆蓋部材３ａは中間用覆蓋部材３ｂと側板３ｄ，３ｄとによって構成されており、中間用覆蓋部材３ｂの幅手方向一方の側部に側板３ｄ，３ｄが貼り付けられ、一方の側部が塞がれている。
【００４５】
点検口付覆蓋部材３ｃは、中間用覆蓋部材３ｂの長手方向一方の端部の上面に開閉可能な点検口３ｅが設けられている。
【００４６】
図３に示すように、沈殿池２の幅手方向両側の側縁部２ｂ，２ｂには、沈殿池２の四隅付近に４つの固定用金具４がそれぞれ取り付けられ、沈殿池２の長手方向に沿って両側に２つのレール用金具５がそれぞれ取り付けられている。
【００４７】
図４（ａ）に示すように、固定用金具４は、横板部４ａと、縦板部４ｂと、固定フランジ部４ｃとによって構成されている。
【００４８】
横板部４ａと縦板部４ｂと固定フランジ部４ｃとは略長方形状を呈しており、横板部４ａと縦板部４ｂとは同一の長さを有している。
【００４９】
縦板部４ｂの幅手方向一端縁からは垂直に横板部４ａが延びており、縦板部４ｂの幅手方向他端縁中央からは垂直に横板部４ａと同じ側に固定フランジ部４ｃが延びている。
【００５０】
横板部４ａの長手方向両端付近には、それぞれボルト穴４ｄ，４ｄが設けられ、固定フランジ部４ｃの略中央には、ボルト穴４ｅが設けられている。
【００５１】
図４（ｂ）に示すように、レール用金具５は、横板部５ａと、縦板部５ｂとによって構成されている。
【００５２】
横板部５ａと縦板部５ｂとは長尺の長方形状を呈しており、横板部４ａと縦板部５ｂとは同一の長さを有している。
【００５３】
横板部５ａの幅手方向一端縁からは垂直に縦板部５ｂが延びており、横板部５ａには複数のボルト穴５ｃ，…が等間隔に設けられている。
【００５４】
図５に示すように、中間用覆蓋部材３ｂは、平面視形状が略長方形状の２枚の覆蓋パネル６と、４つの連結金具７と、２０個のボルト８と、２０個のナット９とによって構成されている。
【００５５】
本実施例の覆蓋パネル６は長さが約７ｍ、幅が約１ｍ、高さが約０．２５ｍである。
【００５６】
覆蓋パネル６は、予め、工場内で製造される。
【００５７】
図５または図６に示すように、覆蓋パネル６は、天板６ａと、側板６ｂと、蓋板６ｃと、梁板６ｄと、補強板６ｅと、スペーサー板６ｆ，６ｇと、座板６ｈと、ゴム製のパッキング材６ｉ，６ｊとによって構成されている。
【００５８】
側板６ｂ，６ｂの連結端部側には、それぞれ５つの連結用のボルト穴６ｋが設けられている。
【００５９】
符号６ａ〜６ｈの部材は、すべて後述するＦＦＵ板材によって形成されている。
【００６０】
ＦＦＵ（Ｆｉｂｅｒ  ｒｅｉｎｆｏｒｃｅｄ  Ｆｏａｍｅｄ  Ｕｒｅｔｈａｎｅ）とは繊維強化発泡ウレタンのことであり、本実施例のＦＦＵ板材では、繊維にガラス長繊維を用いている。
【００６１】
束ねたガラス長繊維をほぐしながらにウレタン樹脂を含浸させて発泡させた樹脂素材であり、木材と同程度の比重に成形可能であり、剛性が高く、薬品などに対する耐浸食性に優れた樹脂素材である。
【００６２】
ＦＦＵは、エポキシ系接着剤との親和性がよく、スクリュウ釘や木ネジなどによって接合することも可能であり、穴開け加工や切断がドリルやノコギリなどによって容易に行うことができる。
【００６３】
図６に示すように、覆蓋パネル６には、天板６ａの裏面側幅手方向両端部付近に、天板６ａに垂直にそれぞれ側板６ｂ，６ｂが取り付けられている。
【００６４】
側板６ｂと側板６ｂとの間には、複数の長方形状の梁板６ｄが天板６ａに垂直にハシゴ状に等間隔に取り付けられている。
【００６５】
梁板６ｄの裏面側端面に当接した状態で、側板６ｂ，６ｂの各内側面にそれぞれ補強板６ｅ，６ｅが取り付けられている。
【００６６】
覆蓋パネル６の連結側端部は斜めに形成されている。本実施例の覆蓋パネル６では、覆蓋パネル６の連結側端部は、天板６ａの法線方向から測って約８°だけ傾いている。
【００６７】
一方、覆蓋パネル６の非連結側端部は、図５に示すように、蓋板６ｃによって塞がれており、裏面側にはコンクリート床の側縁部２ｂに載る位置に座板６ｈが取り付けられている。
【００６８】
蓋板６ｃは、覆蓋パネル６，６同士を連結して、沈殿池２の幅手方向両側の側縁部２ｂ，２ｂに架け渡した際に、床面に対して垂直になるように、天板６ａの法線方向から測って約８°だけ傾いている。
【００６９】
なお、ＦＦＵ板材同士の接合は、エポキシ系接着剤と、スクリュー釘や木ネジとを併用して行われている。
【００７０】
図７に示すように、連結部材７は略ホームベース形状を呈しており、側板６ｂ，６ｂの各ボルト穴６ｋに対応した位置に１０個のボルト穴７ａが設けられている。
【００７１】
本実施例の中間用覆蓋部材３ｂや点検口付覆蓋部材３ｃは、開口部２ａの上方で沈殿池２の長手方向に移動できるようになっている。このような可動手段の構成を述べる。
【００７２】
図８（ａ）または図８（ｂ）に示すように、中間用覆蓋部材３ｂや点検口付覆蓋部材３ｃの蓋板６ｃには、キャスター固定用金具１０を介して２個のキャスター１１，１１が取り付けられている。
【００７３】
キャスター固定用金具１０は、縦板部１０ａと、横板部１０ｂとによって構成され、キャスター固定用金具１０の長手方向から見た断面形状はＬ字型を呈している。
【００７４】
縦板部１０ａが蓋板６ｃにボルトとナットで固定され、横板部１０ｂにキャスター１１，１１がボルトとナットで取り付けられている。
【００７５】
このキャスター１１の車輪部１１ａは周方向に溝が設けられたプーリー様の形状を呈しており、レール用金具５の縦板部５ｂ上に車輪部１１ａが載っている際に、車輪部１１ａが縦板部５ｂの上端縁から脱落しないようになっている。
【００７６】
キャスター１１の取り付け位置の両側の側板６ｂ及び補強板６ｅには、レール用金具５上にキャスター１１を載せる際に、レール用金具５の縦板部５ｂと側板６ｂ及び補強板６ｅとが干渉しないように切欠部６ｌが形成されている。
【００７７】
車輪部１１ａの回転面が蓋板６ｃに平行になるように固定されているので、中間用覆蓋部材３ｂや点検口付覆蓋部材３ｃは、これらの幅手方向に移動可能になっている。
【００７８】
覆蓋部材３は張架手段を有している。この張架手段の構成を述べる。
【００７９】
図８（ａ）に示すように、中間用覆蓋部材３ｂや点検口付覆蓋部材３ｃの一方の蓋板６ｃには略中央に、覆蓋部材３の中央側に向けて長尺ボルト１２が取り付けられている。
【００８０】
この長尺ボルト１２には、ターンバックル１３を介してアイボルト１４が取り付けられており、アイボルト１４のリング部１４ａには、ワイヤー１５が通され、ワイヤー１５を折り曲げた状態で、シャックル１６で固定することによって、アイボルト１４にワイヤー１５の一方の端部が取り付けられている。
【００８１】
ワイヤー１５の他方の端部も同様にして、中間用覆蓋部材３ｂや点検口付覆蓋部材３ｃの他方の蓋板６ｃに連結されている。
【００８２】
このような張架手段によって両端の蓋板６ｃ，６ｃ間に張力を加える。ターンバックル１３を回転させることによって、この張力を調整して部材の撓みなどによる中間用覆蓋部材３ｂや点検口付覆蓋部材３ｃの僅かな長さ変化を調整するようになっている。
【００８３】
〈施工方法〉
図９（ａ）または図９（ｂ）に示すように、２枚の覆蓋パネル６，６の連結側端部同士を突き合わせた状態で、突き合わせ位置で、覆蓋パネル６の側板６ｂの両側面に連結部材７，７をそれぞれ両側から当接させて、側板６ｂのボルト穴６ｋと、連結部材７のボルト穴７ａの位置を合わせ、ボルト８を挿通し、ボルト８とナット９とによって側板６ｂの両側から締め付けて覆蓋パネル６，６同士を連結する。
【００８４】
図１０または図１１に示すように、沈殿池２の両側縁部２ｂに固定用金具４を取り付ける。
【００８５】
固定用金具４には予め、ボルト穴４ｄ，４ｄが設けられており、これらのボルト穴４ｄ，４ｄの位置に対応して、沈殿池２の側縁部２ｂの上端部にコンクリートドリルで穴を開け、アンカー部材１７を挿入する。
【００８６】
固定用金具４をアンカー部材１７が埋め込まれたコンクリート床上に載せて、ボルト１８をアンカー部材１７に挿入して締め付ける。
【００８７】
図１０または図１１に示すように、沈殿池２の側縁部２ｂにレール用金物５を取り付ける。
【００８８】
レール用金物５のボルト穴５ｃ，…の位置に対応して、沈殿池２の側縁部２ｂのコンクリート床上にコンクリートドリルで穴を開け、アンカー部材１９を挿入する。
【００８９】
そして、レール用金物５をアンカー部材１９が埋め込まれたコンクリート床上に載せて、ボルト２０をアンカー部材１９に挿入して締め付ける。
【００９０】
まず、端末用覆蓋部材３ａの側板３ｄ側を沈殿池２の長手方向外側に向けるようにして、端末用覆蓋部材３ａをクレーンなどで吊して、沈殿池２の長手方向の一方の端部側に架け渡して設置する。
【００９１】
この際、沈殿池２の幅手方向両側部に予め取り付けられていた一方の固定用金具４の縦板部４ｂと、他方の固定用金具４の縦板部４ｂとの間に、端末用覆蓋部材３ａ両側端面を嵌合させる。
【００９２】
端末用覆蓋部材３ａを設置した後に、図１０または図１１に示すように、固定用Ｌ字型金具２１と固定用金具４とをボルトとナットとで連結する。
【００９３】
次に、中間用覆蓋部材３ｂをクレーンなどで吊して、図１０に示すように、沈殿池２の幅手方向両側部に予め取り付けられたレール用金物５の縦板５ｂ上に中間用覆蓋部材３ｂの車輪部１１ａを載せて、中間用覆蓋部材３ｂを沈殿池２に架け渡す。
【００９４】
この際、中間用覆蓋部材３ｂの撓みによって車輪部１１ａがレール用金物５にうまく載らないときには、ターンバックル１３を回して、中間用覆蓋部材３ｂの長手方向の長さを微調整して、車輪部１１ａがレール用金物５に載るように調整する。
【００９５】
車輪部１１ａがレール用金物５に載り中間用覆蓋部材３ｂが架け渡されたら、中間用覆蓋部材３ｂをレール用金物５上で沈殿池２の長手方向に滑らせて、既に設置されている端末用覆蓋部材３ａに隣接させて設置する。
【００９６】
そして、別の中間用覆蓋部材３ｂを次々にレール用金物５上に載せて架け渡しては、レール用金物５上を滑らせて、既に設置されている中間用覆蓋部材３ｂに隣接させて設置する。
【００９７】
必要に応じて、点検口付覆蓋部材３ｃを同様にして設置する。
【００９８】
このような作業を繰り返して、沈殿池２の長手方向の他方の端部側に達したら、端末用覆蓋部材３ａを側板３ｄ側を沈殿池２の長手方向外側に向けて設置する。
【００９９】
そして、設置された端末用覆蓋部材３ａの長手方向両端部を沈殿池２の両側の側縁部２ｂ，２ｂに、それぞれ固定用金具４，４を取り付ける。
【０１００】
固定用金具４の固定用フランジ部４ｃを固定用Ｌ字型２１を介して端末用覆蓋部材３ａの蓋板６ｃに固定して設置作業を完了する。
【０１０１】
《連結部材の変形例》
連結部材７の変形例として、例えば、図１２に示すような連結部材７Ａを用いることができる。
【０１０２】
連結部材７Ａは、連結板部７Ａａと、２つの嵌合枠体７Ａｂ，７Ａｂとによって構成されている。
【０１０３】
嵌合枠体７Ａｂは、ウエブ部７Ａｃと、ウエブ部７Ａｃの上下端縁から垂直に延びる一対のフランジ部７Ａｄ，７Ａｅとによって構成されている。
【０１０４】
フランジ部７Ａｄ，７Ａｅには、それぞれボルト穴７Ａｆが設けられている。
【０１０５】
連結部材７Ａによって連結される覆蓋パネルは、連結側端部の構成が覆蓋パネル６とは異なる覆蓋パネル６Ａが用いられる。
【０１０６】
ここでは、覆蓋パネル６と異なる部分だけを述べる。
【０１０７】
図１３に示すように、側板６ｂの接合側端部６Ａｂの板厚が、側板６ｂの他の部分より厚くなっている。
【０１０８】
接合側端部６Ａｂには、天板６ａに垂直に長孔６Ａｋが設けられている。
【０１０９】
天板６ａの端部には、接合側端部６Ａｂの外側端面が面一になるように、切欠きが設けられている。
【０１１０】
図１４に示すように、覆蓋パネル６Ａ，６Ａの連結側端部同士を突き合わせた状態で、連結部材７Ａの一対の嵌合枠体７Ａｂ，７Ａｂを覆蓋パネル６Ａ，６Ａの接合側端部６Ａｂに嵌め込み、覆蓋パネル６Ａの長孔６Ａｋと、フランジ部７Ａｄ，７Ａｅのボルト穴７Ａｆ，７ｆの位置を合わせた状態で、長尺ボルト２２を挿通し、長尺ボルト２２とナット２３とによって接合側端部６Ａｂを締め付ける。
【０１１１】
〈作用効果〉
覆蓋パネル６は予め工場で製造されており、設置現場である下水処理場１では連結部材７によって連結するだけなので、覆蓋部材３の組み立てが容易に行える。
【０１１２】
そして、覆蓋部材３自体は１０ｍ以上のスパンを有しているが、組み立てる前の覆蓋パネル６は、約半分のスパンなので、工場から設置現場への搬送が容易に行える。
【０１１３】
また、両端の端末用覆蓋部材３ａが固定用金具４によって、沈殿池２の側縁部２ｂに固定されるので、覆蓋部材３を安定して設置することができる。
【０１１４】
特に強風地域では、全ての覆蓋部材３を固定用金具４によって固定すれば、覆蓋部材３が飛ばされることがない。
【０１１５】
更に、中間用覆蓋部材３ｂや点検口付覆蓋部材３ｃは可動手段を有しているので、設置施工をスムーズに行うことができる。
【０１１６】
そして、中間用覆蓋部材３ｂや点検口付覆蓋部材３ｃは張架手段を有しているので、設置の際の撓みによる長さ変化を吸収することができ、設置施工が行い易い。
【０１１７】
また、覆蓋部材３の両側部に、パッキング材６ｉ，６ｊが貼設されているので、隣接する覆蓋部材３同士で、これらのパッキング材６ｉ，６ｊが密着して隙間を塞ぐので、沈殿池２からの臭気の漏れを軽減できる。
【０１１８】
更に、端末用覆蓋部材３ａは、側板３ｄによって側部を塞いでいるので、沈殿池２からの臭気の漏れを軽減できる。
【０１１９】
そして、点検口付覆蓋部材３ｃには、点検口３ｅが取り付けられているので、点検口３ｅから沈殿池２内部を覗いて容易に点検できる。
【０１２０】
また、開口部２ａの全体を複数の覆蓋部材３で覆った際には、全体として屋根型を呈しているので、雨が降った際に水はけがよい。
【０１２１】
更に、覆蓋パネル６は、梁などの補強構造を有しているので、ＦＦＵ単体の板に比べて強度が強く、１０ｍ以上の長スパンの覆蓋部材３が製造可能である。
【０１２２】
しかも、覆蓋パネル６はＦＦＵによって形成されているので、耐腐食性があり、腐食性のガスに曝されても長期に渡り使用可能である。
【実施例２】
【０１２３】
図１５に示すように、開口部２ａの幅手方向両側にＬ字型金物２４，２４をアンカー部材とボルトとによって取り付けて枠を形成し、この枠の内側に複数の覆蓋部材３を嵌め込む。
【０１２４】
まず、端末用覆蓋部材３ａをクレーンで吊して、側板３ｄ側を沈殿池２の長手方向外側に向けて、沈殿池２の長手方向の一方の端部側に架け渡して設置する。
【０１２５】
この際、沈殿池２の幅手方向両側に取り付けられた一方のＬ字型金物２４の内側端面と他方のＬ字型金物２４の内側端面との間に、覆蓋部材３の両側端面を嵌合させる。
【０１２６】
覆蓋部材３の撓みによって覆蓋部材がＬ字型金物２４，２４間に入らないときには、ターンバックル１３を回して、覆蓋部材３の長手方向の長さを微調整して、覆蓋部材３がＬ字型金物２４，２４間に嵌るように調整する。
【０１２７】
次に、覆蓋部材３が架け渡されたら、別の覆蓋部材３を既に設置されている覆蓋部材３に隣接させて、次々に架け渡して設置する。
【０１２８】
このような作業を繰り返して、沈殿池２の長手方向の他方の端部側に達したら、端末用覆蓋部材３ａを側板３ｄ側を沈殿池２の長手方向外側に向けて設置し、設置作業を完了する。
【０１２９】
〈作用効果〉
Ｌ字型金物２４によって枠体が形成されるので、支持部の施工が容易であるだけでなく、既設の水処理設備であっても、大規模な工事をすることなく覆蓋部材３の設置が可能である。
【実施例３】
【０１３０】
図１６に示すように、開口部２ａの幅手方向両側の周壁に、溝部２５，２５を形成して、この溝部２５，２５に複数の覆蓋部材３を嵌め込む。
【０１３１】
図１７に示すように、溝部２５，２５には、それぞれ補強用Ｌ字金具２６，２６が取り付けられている。
【０１３２】
まず、端末用覆蓋部材３ａをクレーンで吊して、側板３ｄ側を沈殿池２の長手方向外側に向けて、沈殿池２の長手方向の一方の端部側に架け渡して設置する。
【０１３３】
この際、沈殿池２の幅手方向両側部に予め設けられた一方の溝部２５の補強用Ｌ字金具２６の内側端面と他方の溝部２５の補強用Ｌ字金具２６の内側端面との間に、覆蓋部材３の両側端面を嵌合させる。
【０１３４】
覆蓋部材３の撓みによって覆蓋部材３が補強用Ｌ字金具２６，２６間に入らないときには、ターンバックル１３を回して、覆蓋部材３の長手方向の長さを微調整して、覆蓋部材３が補強用Ｌ字金具２６，２６間に嵌るように調整する。
【０１３５】
次に、覆蓋部材３が架け渡されたら、別の覆蓋部材３を既に設置されている覆蓋部材３に隣接させて、次々に架け渡して設置する。
【０１３６】
このような作業を繰り返して、沈殿池２の長手方向の他方の端部側に達したら、端末用覆蓋部材３ａを側板３ｄ側を沈殿池２の長手方向外側に向けて設置し、設置作業を完了する。
【０１３７】
〈作用効果〉
開口部２ａ周囲のコンクリート自体に溝部２５，２５を形成して、この溝部２５，２５に複数の覆蓋部材３を嵌め込むので、強固な支持部が得られ、覆蓋部材３を設置した際に、安定した設置が望める。
【０１３８】
以上、図面を参照して、本発明の最良の実施の形態を詳述してきたが、具体的な構成は、この実施の形態に限らず本発明の要旨を逸脱しない程度の設計的変更は本発明に含まれる。
【０１３９】
なお、実施例では、パッキング材６ｉ，６ｊはゴム製であるとしたが、必ずしもゴム製である必要はない。例えば、シート状のビニールなどであってもよい。
【図面の簡単な説明】
【０１４０】
【図１】本発明に係る覆蓋部材が設置された沈殿池の斜視図である。
【図２】本発明に係る覆蓋部材の斜視図である。（ａ）は沈殿池の端部に用いられる端末用覆蓋部材であり、（ｂ）は端部以外に用いられる中間用覆蓋部材である。（ｃ）は点検口が設けられた点検口付覆蓋部材である。
【図３】実施例１に係る固定用金具及びレール用金具を取り付けた沈殿池の上面図である。
【図４】実施例１に係る固定用金具及びレール用金具の斜視図である。（ａ）は覆蓋部材を沈殿池の側縁部に固定するための固定用金具、（ｂ）は覆蓋部材を移動させる際の軌道となるレール用金具である。
【図５】本発明に係る中間用覆蓋部材の斜視図であり、２つの覆蓋パネルと、連結部材とに分解した分解斜視図である。
【図６】本発明に係る覆蓋部材を構成する覆蓋パネルの連結側端部を裏面側から見た部分破断斜視図である。
【図７】本発明に係る覆蓋パネルを連結する連結部材の斜視図である。
【図８】可動手段と張架手段とが設けられた中間用覆蓋部材の端部の断面図であり、（ａ）は図１のＡ−Ａ断面の断面図、（ｂ）は（ａ）のＢ−Ｂ断面の断面図である。
【図９】覆蓋部材の連結部分の図であり、（ａ）は部分斜視図、（ｂ）は（ａ）のＣ−Ｃ断面の断面図である。
【図１０】沈殿池の角部の部分斜視図であり、沈殿池の端部に設置された端末用覆蓋部材と、この端末用覆蓋部材に隣接して配置される中間用覆蓋部材の端部の部分斜視図である。
【図１１】固定用金具によって固定された端末用覆蓋部材の端部の断面図であり、図１０のＤ−Ｄ断面の断面図である。
【図１２】変形例の連結部材の斜視図である。
【図１３】変形例の連結部材によって連結される覆蓋パネルの連結側端部を裏面側から見た部分破断斜視図である。
【図１４】変形例の連結部材によって連結された覆蓋部材の連結部分の図であり、（ａ）は部分斜視図、（ｂ）は（ａ）のＥ−Ｅ断面の断面図である。
【図１５】実施例２に係る沈殿池の斜視図であり、沈殿池の両側の側縁部にＬ字型金物によって枠が形成され、この枠と枠との間に覆蓋部材が設置されている様子を表した図である。
【図１６】実施例３に係る沈殿池の斜視図であり、開口部の幅手方向両側の周壁に溝が形成され、この溝と溝との間に覆蓋部材が設置されている様子を表した図である。
【図１７】実施例３に係る中間用覆蓋部材の端部の断面図であり、図１６のＦ−Ｆ断面の断面図である。
【符号の説明】
【０１４１】
１                              下水処理施設（水処理施設）
２                              沈殿池（水槽）
２ａ                            開口部
２ｂ                            側縁部（上縁部）
３ａ                            端末用覆蓋部材（覆蓋部材）
３ｂ                            中間用覆蓋部材（覆蓋部材）
３ｃ                            点検口付覆蓋部材（覆蓋部材）
６，６Ａ                        覆蓋パネル（パネル部材）
７，７Ａ                        連結部材
６ａ                            天板
６ｂ                            側板
６ｄ                            梁板
６ｉ，６ｊ                      パッキング材
３ｅ                            点検口
２４                            Ｌ字型金物
【図１】
2008024340.tif 000003
【図２】
2008024340.tif 000004
【図３】
2008024340.tif 000005
【図４】
2008024340.tif 000006
【図５】
2008024340.tif 000007
【図６】
2008024340.tif 000008
【図７】
2008024340.tif 000009
【図８】
2008024340.tif 000010
【図９】
2008024340.tif 000011
【図１０】
2008024340.tif 000012
【図１１】
2008024340.tif 000013
【図１２】
2008024340.tif 000014
【図１３】
2008024340.tif 000015
【図１４】
2008024340.tif 000016
【図１５】
2008024340.tif 000017
【図１６】
2008024340.tif 000018
【図１７】
2008024340.tif 000019